(57)【要約】  横方向にも対称であり、前後方向にも対称である形状を有する排水型船体が開示される。船体は、船体の周囲の水の流れの統御に役立つ一対の水路を含む。船体はまた、船の中央において左舷側および右舷側に配置される張り出しおよびプロペラを含む。【選択図】図１
2016502960.tif 000002
【特許請求の範囲】
【請求項１】
船舶のための排水型船体において、前記船体は、横方向に対称であり、かつ前後方向に対称である形状を含み、前記船体は、
右舷水路および左舷水路であって、前記水路は前記船体の周囲の水の流れを少なくとも部分的に統御するように構成される、右舷水路および左舷水路と、
船の中央に配設される右舷張り出しであって、前記右舷張り出しは、前記右舷水路とともに右舷トンネルを形成するように構成され、前記右舷張り出しは、前記船体とともに右舷開水路を形成するようにさらに構成される、右舷張り出しと、
船の中央に配設される左舷張り出しであって、前記左舷張り出しは、前記左舷水路とともに左舷トンネルを形成するように構成され、前記左舷張り出しは、前記船体とともに左舷開水路を形成するようにさらに構成される、左舷張り出しと、
前記右舷トンネル内に配設される右舷プロペラと、
前記左舷トンネル内に配設される左舷プロペラと、
をさらに含むことを特徴とする、排水型船体。
【請求項２】
請求項１に記載の船体において、
前記右舷トンネルは、前記右舷トンネルを前記右舷開水路に接続する開いた上部を含み、
前記左舷トンネルは、前記左舷トンネルを前記左舷開水路に接続する開いた上部を含むことを特徴とする船体。
【請求項３】
請求項１に記載の船体において、船首延長部および船尾延長部のうちの少なくとも１つをさらに含むことを特徴とする船体。
【請求項４】
請求項３に記載の船体において、船首延長部および船尾延長部のうちの前記少なくとも１つの内に配設される少なくとも１つのスラスタをさらに含むことを特徴とする船体。
【請求項５】
請求項１に記載の船体において、非常用舵をさらに含むことを特徴とする船体。
【請求項６】
請求項１に記載の船体において、
前記右舷プロペラが可変ピッチプロペラを含み、
前記左舷プロペラが可変ピッチプロペラを含むことを特徴とする船体。
【請求項７】
請求項１に記載の船体において、
前記右舷プロペラが一対の逆回転する可変ピッチプロペラを含み、
前記左舷プロペラが一対の逆回転する可変ピッチプロペラを含むことを特徴とする船体。
【発明の詳細な説明】
【技術分野】
【０００１】
本開示は、船体速度の限界に支配されない船体形状、および船体形状を製作するためのシステムに関する。
【背景技術】
【０００２】
従来の排水型船体は、１つ以上のプロペラを介して水中に伝達され、水をかき分けて船体を押し進める、船のエンジンの強大な力に依存する。船体が水をかき分けて進むと、水は押しのけられる。船体から遠ざかる水の流れは船首波を作り出す。船首波の波長は船体の水線長さと相互作用し、船体の速度が増すにつれて、船体を水中でより高く持ち上げる。一定の速度より上では、船体は理論的には完全に水の外へ出されることになるであろう。実際には、無論、船体は水中にとどまっていなければならず、そのため、船体は、そのエンジンがどれほど強力であるのかに関わらず、それが達成することができる最大速度を有する。実際の最高速度は、船体のサイズおよび形状を含む、数多くの因子に基づき変化する。全体として、この効果は船体速度限界として知られている。
【０００３】
船体速度の限界に対処するために各種の解決策が提案されているが、現在の解決策は全て不完全であり、限界がある。例えば、Ｈｏｌｄｅｎに発行された米国特許第２９７，２７９号（以下、「Ｈｏｌｄｅｎ」）は、船首の流れを引き入れ、系を通過させることを趣旨としている。船首はほとんど手が付けられず、そのため、Ｈｏｌｄｅｎは系の流れの全体を収容して統御することができない。Ｈｏｌｄｅｎは伴流を作り出すことができず、そのため、設計は運河船および同様のものに限定される。ＭｃＤｏｎａｌｄに発行された米国特許第４，５０５，６８４号（以下、「ＭｃＤｏｎａｌｄ」）は、波動運動に適切に対応すること、またはそれを処理することはしない。それゆえ、ＭｃＤｏｎａｌｄは比較的静かな水中でしか機能しないであろう。
【発明の概要】
【０００４】
本開示は、船体速度限界に支配されない排水型船体を提供する。これは、効率および操縦性の大幅な向上、ならびに本明細書における説明から明らかとなるその他の利点をもたらす。
【０００５】
本開示の１つの態様によれば、船舶のための排水型船体は、横方向に対称であり、かつ前後方向に対称である形状を含む。船体は、右舷水路および左舷水路、張り出し、ならびにプロペラを含む。水路は、船体の周囲の水の流れを少なくとも部分的に統御するように構成される。張り出しは船の中央に配設される。張り出しはそれらの対応する水路とともに各々、トンネル、一方は右舷および一方は左舷、を形成するように構成される。各張り出しは船体とともに、開水路、一方は右舷および一方は左舷、を形成するようにさらに構成される。右舷トンネル内には右舷プロペラが配設され、左舷トンネル内には左舷プロペラが配設される。
【０００６】
本開示の追加の特徴、利点、および態様は、説明されるか、または以下の詳細な説明、図面、および請求項の考慮から明らかとなり得る。さらに、本開示の上述の概要および以下の詳細な説明はどちらも例示的なものであり、クレームされているとおりの本開示の範囲を限定することなくさらなる説明を提供することを意図されていることを理解されたい。
【０００７】
添付の図面は、本開示のさらなる理解を提供するために含まれ、本明細書内に組み込まれてその一部を構成し、本開示の態様を図解し、詳細な説明とともに本開示の原理を説明する役割を果たす。本開示の基礎的理解のために必要であり得るよりも詳細に本開示の構造細部を示し、本開示が実施され得る種々の仕方を示すための試みは行われない。
【図面の簡単な説明】
【０００８】
【図１】図１は、本開示の一態様に係る船体の斜視図を示す。
【図２】図２は、図１の船体の正面図を示す。
【図３】図３は、図１の船体の断面図を示す。
【図４】図４は、図１の船体の側面図を示す。
【図５】図５は、本開示の一態様に係る、単純化された船体の正面図を示す。
【図６】図６は、図５の斜視図船体を示す。
【図７】図７は、図５の斜視図船体を示す。
【図８】図８は、図１の船体の断面図を示す。
【発明を実施するための形態】
【０００９】
添付の図面に記載され、および／または示され、以下の記載に詳述される非限定的な態様および例を参照して、本開示の態様ならびに種々の特徴およびその有利な細部をより十分に説明する。たとえ、本明細書では明示的に述べられていなくても、当業者であれば認識するだろうように、図面に示されている特徴は必ずしも原寸に比例して描かれておらず、１つの態様の特徴は他の態様とともに用いられてもよいことに留意されたい。本開示の態様を不必要に不明瞭にしないために、周知の構成要素および処理技法の説明は省略されてもよい。本明細書において用いられている例は単に、本開示が実施され得る仕方の理解を助けること、および当業者が本開示の態様を実施することをさらに可能にすることを意図されているにすぎない。したがって、本明細書における例および態様は本開示の範囲を限定するものとして解釈されてはならない。本開示の範囲は添付の請求項および適用法によってのみ定められる。さらに、図面全体を通じて、同様の参照符合は類似の部分を表すことに留意されたい。
【００１０】
本開示の一態様によれば、船体は、まず、真ん中に中心線が引かれたベンチュリ管を視覚化することによって形成されてもよい。管は中心線において分割されてもよく、各半体は、今度は膨らみが中心にあるように、ひっくり返されてもよい。２つの半体は接合されてもよく、（今度は管の外側に位置する）中心線は中実にされてもよく、それにより、２本の水路を形成する。
【００１１】
図１は、これらの設計原理を用いて形成される例示的な船体１０を示す。船体１０の上部または水平外形は、上述の再配置されたベンチュリ管における中心の膨らみに相当してもよい。例えば、上方から見ると、船体は横方向にも（すなわち左右方向にも）垂直方向にも（すなわち船首−船尾方向にも）対称であってよい。船首−船尾方向の対称性からの変化は、請求項を含む本開示の趣旨および範囲から逸脱することなく、特定の設計の要求に従って、任意である。船体はそれぞれの側に沿って、再配置されたベンチュリ管内の水路に相当してもよい、水路１２を含んでもよい。船体１０はまた、それぞれの側に張り出し２６を含んでもよく、各張り出し２６は、再配置されたベンチュリ管内の中実の中心線に相当してもよい。張り出し２６は特定の設計から除去されてもよいが、船体の全体的性能は悪くなる可能性がある。
【００１２】
張り出し２６における水路１２内に、１つ以上の可変ピッチプロペラ１８が配置されてもよい。プロペラ１８は、コルトノズル２０を備えたダクトプロペラであってもよい。例えば、各水路１２は、一対の逆回転する可変ピッチプロペラ１８を含んでもよい。プロペラ１８は１つ以上のパイロン２２に接続されるか、またはその上に組み付けられてもよい。船体１０の後部は前部の時間反転されたバージョンと見なされてもよく、それゆえ、逆回転するプロペラ１８の効用が生じる。より実用的なレベルでは、プロペラ１８の逆回転対は、系の冗長性を提供すると同時に、ジャイロ力に関して自己相殺する。
【００１３】
船体１０の形状、張り出し２６、および推進１８の位置は、船体１０が、完全に、またはほぼ完全な動力学的閉鎖を維持することを可能にし得る。その結果、設計は伝統的な排水型船体よりも効率が高くなり得る。例えば、船体１０が消費する燃料は最大４０％減少し得る。船体１０は、例えば、低減された縦揺れ、低減された横揺れ、および低減された偏揺れなどの、改善された動力学を有し得る。船体１０はまた、例えば、ブレーキの船舶同等物、および改善された衝突回避を含む、改善された操縦性も有し得る。加えて、船体１０は船首延長部１４および船尾延長部１６を含んでもよく、各延長部１４、１６は１つ以上のサイドスラスタ３０を含んでもよい。この構成は、船体が舵を有して動作することを可能にし得る。それにもかかわらず、船体は任意追加の非常用舵３２を含んでもよい。
【００１４】
図２は例示的な船体１０の正面図を示す。水路１２は船首から、船体１０に等しい高さを有して始まってもよい。水路１２は、それらが張り出し２６に接近するにつれて狭くなってもよい。張り出し２６において、水路は、全ての流れを、プロペラ１８を通過するように誘導するようなサイズに作られた管またはトンネルになってもよい。ただし、トンネルは、張り出し２６とともに開水路２８を形成する、開いた上部を有してもよいという点を除く。この構成は、水路１２が、波動運動になおも対応しつつ、流れの大部分を、プロペラ１８を通過するように誘導することを可能にし得る。例えば、開いた上方境界および開水路２８は、さまざまな海面状態および波浪レベルにわたりより良好な流れの統御を容易にし得る。さらに、速度を２倍にすると、通常のベンチュリ管内の摩擦は４倍になる。しかし、開水路２８などの、開いた上方境界を有することは、系の流れが再分散することを可能にし得る。これが、平均速度および全体的な摩擦を低減し得る。
【００１５】
図３は、図１における線３−３に沿って見た船体１０の断面を示す。水線３４は、船体１０が水中にどのように位置し得るのかの一例を提供する。船体１０は船舶の周囲の水の流れを統御または制御することができ、動力学的に閉じた系を作り出すことができるため、船体１０はいかなる速度においても同じ水線３４を維持することができる。船体１０の最高速度は、関連付けられた原動機の動力出力によって制限され得る。それゆえ、船体１０は従来の排水型船体の船体速度限界に悩まされなくてもよい。
【００１６】
図４は例示的な船体１０の側面図を示す。サイドスラスタ１８は操舵のために用いられてもよく、舵の必要性をなくす。それにもかかわらず、非常用舵３２が設けられてもよい。張り出し１２の前および後の外形は水路１２の船首および船尾の外形と同様であってもよい。
【００１７】
図５は、本開示の一態様に係る、単純化された船体３６の正面図を示す。図６および図７は図５の斜視図船体を示す。これらの単純化された図は、本明細書において説明されている構成要素間の関係をより理解しやすくし得る。
【００１８】
図８は、図２における線８−８に沿って見た例示的な船体１０の断面図を示す。例えば、張り出しの外壁の水平外形を見ることができる。船体１０と同様に、張り出し壁は横方向および前後方向のどちらにおいても対称であってよい。
【００１９】
本開示は例示的な態様に関して説明されているが、当業者は、本開示は添付の請求項の趣旨および範囲内で変更を行って実施することができることを認識するであろう。以上に与えられているこれらの例は単なる例示にすぎず、本開示の全ての可能な設計、態様、適用、または変更の網羅的一覧となるように意図されてはいない。
【図１】
2016502960.tif 000003
【図２】
2016502960.tif 000004
【図３】
2016502960.tif 000005
【図４】
2016502960.tif 000006
【図５】
2016502960.tif 000007
【図６】
2016502960.tif 000008
【図７】
2016502960.tif 000009
【図８】
2016502960.tif 000010
【国際調査報告】
2016502960.tif 000011
2016502960.tif 000012